(57)【要約】【課題】仕様情報が認識不可能なトナーコンテナが装着された場合に、感光体や中間転写体へのトナー付着や現像剤の劣化、トナー飛散による装置内部の汚染や装置の破損等の不具合が生じない範囲で画像出力動作を実行可能な画像形成装置を提供する。【解決手段】トナーコンテナ２０が装置本体に挿入され、トナーコンテナ検知センサ４５がトナーコンテナ２０の装着を検出すると、ＣＰＵ４１はＲＦＩＤメモリ４０内のデータが認識可能であるか否かを判断する。ＲＦＩＤメモリ４０内のデータが認識不可能である場合は、現像装置１６内のＴ／Ｃを基準値よりも小さく設定するとともに、現像剤リフレッシュ動作、ドラムリフレッシュ動作、転写リフレッシュ動作の回数を通常の回数（基準実行回数）よりも多く設定する。【選択図】図５
2010032947.tif 000002
【特許請求の範囲】
【請求項１】
装置本体に対し着脱可能なトナーコンテナと、
該トナーコンテナから補給されるトナーを担持するトナー担持体を有し像担持体表面に形成された静電潜像を現像する現像装置と、
該現像装置により現像されたトナー像を直接或いは間接的に記録媒体に転写する転写手段と、
前記トナーコンテナに取り付けられ前記トナーコンテナを特定するための情報が記憶された記憶手段と、
該記憶手段に記憶された情報を読み取る読取手段と、
該読取手段により読み取られた情報に基づいて装置本体各部の動作を制御する制御手段と、を備えた画像形成装置において、
前記制御手段は、前記記憶手段に記憶された情報が認識不可能である場合は、画像出力を許可するとともに、非画像形成時に前記トナー担持体から前記像担持体へトナーを吐出する現像剤リフレッシュ動作、前記像担持体上に供給されたトナーを用いて前記像担持体表面を摺擦する像担持体リフレッシュ動作、前記転写手段に付着したトナーを除去する転写リフレッシュ動作のうち少なくとも一つの継続時間を基準実行時間よりも延長することを特徴とする画像形成装置。
【請求項２】
前記現像装置内にはトナーとキャリアとを含む二成分現像剤が貯留されており、前記制御手段は、前記記憶手段に記憶された情報が認識不可能である場合は、前記現像装置内のキャリアに対するトナーの割合を基準値よりも小さく設定することを特徴とする請求項１に記載の画像形成装置。
【発明の詳細な説明】
【技術分野】
【０００１】
本発明は、着脱式のトナーコンテナを備えた電子写真プロセスを用いた複写機、プリンタ等の画像形成装置に関するものである。
【背景技術】
【０００２】
従来、複写機やプリンタ等の画像形成装置においては、トナーコンテナ内のトナーがなくなった際のトナー補給作業を容易にするために、トナーコンテナが装置内部に設けられたコンテナ収納部に自在に着脱できるようになっており、トナーコンテナ内のトナーがなくなった場合には、空のトナーコンテナを取り外し、トナーが充填された新たなトナーコンテナを装着することにより、トナー補給が行えるよう構成されている。
【０００３】
ところで、画像形成に用いられるトナーは装置の仕様や仕向地（出荷地域）によって異なり、その装置に応じた専用のトナーコンテナを装着する必要がある。そのため、空のトナーコンテナを取り外した後に誤ったトナーコンテナを装着してしまうと印刷不良の原因となる。また、同一の機種においてもトナーの品質や安定性等の改良により、トナーコンテナ内のトナーが全く異なるものとなり、過去のトナーコンテナと互換性がなくなることもある。
【０００４】
トナーコンテナの誤装着を防止する方法として、例えば特許文献１には、トナーコンテナの挿入部の形状を色毎に異ならせることにより、各色のトナーコンテナが対応する位置に択一的に装着できるようにしたカラー画像形成装置が開示されている。また、特許文献２には、トナーコンテナに取り付けられたＲＦＩＤ（Radio Frequency IDentification、非接触型書き換え可能不揮発性メモリ）の仕様情報と装置本体の仕様情報とが一致しない場合にトナーコンテナの使用を拒否する方法が開示されている。
【特許文献１】特開２００３−８４５３４号公報
【特許文献２】特開２００４−３４７９４０号公報
【発明の開示】
【発明が解決しようとする課題】
【０００５】
しかしながら、特許文献１のようにトナーコンテナの形状で互換性を判別すると、装置の仕様や仕向地毎に形状を変更する必要があり、部品の共通化を図れないという問題があった。また、特許文献２の方法では、形状が同じで仕様情報が異なるトナーコンテナ、旧仕様でＲＦＩＤが取り付けられていないトナーコンテナ等の正規品でないトナーコンテナや、故意或いは過失によって仕様情報が不明となったトナーコンテナ等が装着された場合は画像形成動作が制限されるため、印刷を急ぐユーザにとっては使い勝手が悪くなる。
【０００６】
一方、上記のような正規品でない、或いは仕様情報が不明のトナーコンテナをそのまま使用すると、適正な画像が得られない場合があった。また、トナーの特性差により装置内にトナーが飛散してしまい、装置内部や用紙上に落下してトナー汚染や接点不良、画像不良を引き起こしたり、冷却用ファンから機外に排出されて粉塵が発生したりするおそれがあった。さらに、トナーの特性によっては感光体や中間転写体へのトナー付着や現像剤の劣化等が発生する場合もあった。
【０００７】
本発明は、上記問題点に鑑み、仕様情報が認識不可能なトナーコンテナが装着された場合に、感光体や中間転写体へのトナー付着や現像剤の劣化、トナー飛散による装置内部の汚染や装置の破損等の不具合が生じない範囲で画像出力動作を実行可能な画像形成装置を提供することを目的とする。
【課題を解決するための手段】
【０００８】
上記目的を達成するために本発明は、装置本体に対し着脱可能なトナーコンテナと、該トナーコンテナから補給されるトナーを担持するトナー担持体を有し像担持体表面に形成された静電潜像を現像する現像装置と、該現像装置により現像されたトナー像を直接或いは間接的に記録媒体に転写する転写手段と、前記トナーコンテナに取り付けられ前記トナーコンテナを特定するための情報が記憶された記憶手段と、該記憶手段に記憶された情報を読み取る読取手段と、該読取手段により読み取られた情報に基づいて装置本体各部の動作を制御する制御手段と、を備えた画像形成装置において、前記制御手段は、前記記憶手段に記憶された情報が認識不可能である場合は、画像出力を許可するとともに、非画像形成時に前記トナー担持体から前記像担持体へトナーを吐出する現像剤リフレッシュ動作、前記像担持体上に供給されたトナーを用いて前記像担持体表面を摺擦する像担持体リフレッシュ動作、前記転写手段に付着したトナーを除去する前記転写リフレッシュ動作のうち少なくとも一つの継続時間を基準実行時間よりも延長することを特徴としている。
【０００９】
また本発明は、上記構成の画像形成装置において、前記現像装置内にはトナーとキャリアとを含む二成分現像剤が貯留されており、前記制御手段は、前記記憶手段に記憶された情報が認識不可能である場合は、前記現像装置内のキャリアに対するトナーの割合を基準値よりも小さく設定することを特徴としている。
【発明の効果】
【００１０】
本発明の第１の構成によれば、記憶手段に記憶された情報が認識不可能な場合にも画像出力を許可して仕様情報が不明なトナーコンテナを有効に使用可能にするとともに、現像剤リフレッシュ動作、像担持体リフレッシュ動作、転写リフレッシュ動作のうち少なくとも一つの継続時間を延長することで、トナー特性の違いによるトナー担持体上のトナー劣化、像担持体のクリーニング不良や転写手段へのトナー付着、及びそれらに伴う画質低下を効果的に抑制できる。
【００１１】
また、本発明の第２の構成によれば、上記第１の構成の画像形成装置において、記憶手段に記憶された情報が認識不可能な場合は二成分現像方式の現像装置内のキャリアに対するトナーの割合を基準値よりも小さく設定することにより、トナー飛散による汚染や画像形成装置の破損が生じない範囲で文字程度の画像出力が可能となる。
【発明を実施するための最良の形態】
【００１２】
以下、図面を参照しながら本発明の実施形態について説明する。図１は、本発明に係る現像剤搬送装置を備えた画像形成装置の全体構成を示す概略構成図であり、右側を画像形成装置の前方側として図示している。図１に示すように、画像形成装置１００は、本体下部に積載された用紙を収容する給紙カセット２が備えられている。この給紙カセット２の上方には、本体前方から本体後方へ略水平に延び、更に上方へ延びて本体上面に形成された排紙部３に至る用紙搬送路４が形成されており、この用紙搬送路に沿って上流側から順に、ピックアップローラ５、フィードローラ６、中間搬送ローラ７、レジストローラ対８、画像形成部９、定着部１０及び排出ローラ対１１が配置されている。
【００１３】
給紙カセット２には、用紙搬送方向後端部に設けられた回動支点１２ａによって、給紙カセット２に対して回動自在に支持された用紙積載板１２が備えられており、用紙積載板１２上に積載された用紙がピックアップローラ５に押圧されるようになっている。また、給紙カセット２の前方側には、フィードローラ６に圧接するようにリタードローラ１３が配設されており、ピックアップローラ５によって複数枚の用紙が同時に給装された場合には、これらフィードローラ６とリタードローラ１３とによって用紙が捌かれ、最上位の１枚のみが搬送されるよう構成されている。
【００１４】
そして、フィードローラ６とリタードローラ１３とによって捌かれた用紙は、中間搬送ローラ７によって搬送方向を装置後方へと変えられてレジストローラ対８へと搬送され、レジストローラ対８によってタイミングを調整されて画像形成部９へと供給される。
【００１５】
画像形成部９は、電子写真プロセスによって用紙に所定のトナー像を形成するものであり、図１において時計回りに回転可能に軸支された像担持体である感光体ドラム１４と、この感光体ドラム１４の周囲に配置される帯電装置１５、現像装置１６、クリーニング装置１７、用紙搬送路４を挟んで感光体ドラム１４に対向するように配置される転写ローラ１８及び感光体ドラム１４の上方に配置される露光ユニット（ＬＳＵ）１９から構成されており、現像装置１６の上方には、現像装置１６へトナーを補給するトナーコンテナ２０が配置されている。
【００１６】
帯電装置１５には、図示しない電源が接続された導電性ゴムローラ１５ａが備えられており、この導電性ゴムローラ１５ａが感光体ドラム１４に当接するよう配置されている。そして、感光体ドラム１４が回転すると、導電性ゴムローラ１５ａが感光体ドラム１４の表面に接触して従動回転し、この時、導電性ゴムローラ１５ａに所定の電圧を印加することにより、感光体ドラム１４の表面が一様に帯電させられることとなる。
【００１７】
次いで、露光ユニット（ＬＳＵ）１９からのレーザビームにより感光体ドラム１４上に入力された画像データに基づく静電潜像が形成され、現像装置１６により静電潜像にトナーが付着されて感光体ドラム１４の表面にトナー像が形成され、転写ローラ１８により感光体ドラム１４の表面のトナー像が、感光体ドラム１４と転写ローラ１８とのニップ部に形成された転写位置に供給された用紙へと転写される。
【００１８】
トナー像が転写された用紙は、感光体ドラム１４から分離されて定着部１０に向けて搬送される。この定着部１０は、画像形成部９の用紙搬送方向の下流側に配置されており、画像形成部９においてトナー像が転写された用紙は、定着部１０に備えられた加熱ローラ２１、及びこの加熱ローラ２１に圧接される加圧ローラ２２によって加熱、加圧され、用紙に転写されたトナー像が定着される。
【００１９】
そして、画像形成部９及び定着部１０において画像形成がなされた用紙は、排出ローラ対１１によって排紙部３に排出される。一方、転写後に感光体ドラム１４の表面に残留しているトナーは、感光体ドラム１４に圧接されるクリーニングローラ１７ａ及びクリーニングブレード１７ｂを備えたクリーニング装置１７により除去される。そして、感光体ドラム１４は帯電装置１５によって再び帯電され、以下同様にして画像形成が行われる。
【００２０】
現像装置１６内には磁性若しくは非磁性キャリアが貯留されており、このキャリアとトナーコンテナ２０から供給されるトナーとが攪拌スクリュー（図示せず）によって混合、攪拌されることでトナーとキャリアとを含む二成分現像剤となる。現像ローラ１６ａ内には複数の磁極を有する磁界発生部材（図示せず）が配置されており、現像ローラ１６ａ表面には規制ブレード（図示せず）が対向配置されている。規制ブレードには磁界発生部材の所定の極（例えばＮ極）が対向するため、規制ブレードとして非磁性体或いは磁性体を用いることにより、規制ブレードと現像ローラ１６ａとの間に引き合う方向の磁界が発生する。
【００２１】
この磁界により、キャリアとトナーがブラシ状に起立する、いわゆる磁気ブラシが形成される。そして、現像ローラ１６ａが回転して磁気ブラシが感光体ドラム１４に対向する位置に移動すると、磁界発生部材の次の極（Ｓ極）により逆極性の磁界が付与されるため、磁気ブラシは感光体ドラム１４表面に接触してトナー像を形成する。
【００２２】
さらに現像ローラ１６ａが回転すると、次の極（Ｎ極）により逆極性の磁界が付与されて、トナー像の形成に使われなかったトナーが現像装置１６内に回収され、さらに次の極（Ｓ極）により逆極性の磁界が付与されるため、トナーは現像装置１６内で現像ローラ１６ａから離脱する。そして、攪拌スクリューにより混合、攪拌された後、磁界発生部材の磁界により再び現像ローラ１６ａ上に付着する。
【００２３】
また、現像装置１６内にはキャリアに対するトナーの割合（以下、Ｔ／Ｃという）を測定するトナー濃度センサ（図示せず）が設けられている。例えば光透過性を有する非磁性キャリアを用いる場合、トナー濃度センサとして光学式センサを用いて現像剤の光透過度を測定することにより現像剤中のトナー濃度を検知する方法や、トナー濃度センサとして圧電センサを用いて現像剤総量を検知し、キャリア量が一定であるとして現像剤中のトナーの存在比率を算出する方法が挙げられる。また、磁性キャリアを用いる場合はトナー量の増加に伴う透磁率の変化を検知する透磁率センサが用いられる。
【００２４】
また、画像形成装置１００は、非画像形成時に現像装置１６の現像ローラ１６ａから感光体ドラム１４へトナーを吐出する現像剤リフレッシュ動作、感光体ドラム１４に付着したトナーをクリーニングするドラムリフレッシュ動作、及び転写ローラ１８に付着したトナーを除去する転写リフレッシュ動作を実行可能である。
【００２５】
現像剤リフレッシュ動作は、低印字率画像の連続出力時等、現像ローラ１６ａから感光体ドラム１４に移動して現像に用いられるトナーが少ない場合に現像装置１６内のトナーを強制的に消費することで、現像ローラ１６ａ上のトナーの入れ替えを促進し、トナーの過帯電による画像かぶりや濃度低下等の発生を抑制するものである。この現像剤リフレッシュ動作は、装置の立ち上げ時やトナーコンテナ交換時、或いは所定枚数印字毎に実行される他、ユーザの指示により実行するようにしても良い。
【００２６】
ドラムリフレッシュ動作は、例えば非画像形成時や現像剤リフレッシュ動作時に感光体ドラム１４上にトナーを供給してドラム表面を摺擦するものである。ドラム表面を摺擦する手段としては、クリーニング装置１７のクリーニングローラ１７ａやクリーニングブレード１７ｂが挙げられる。また、感光体ドラム１４上に供給されたトナーは、感光体ドラム１４とクリーニングブレード１７ｂとの接触部分に介在することでクリーニングブレード１７ｂとドラム表面との摩擦係数を低下させる。これにより、クリーニングブレード１７ｂのめくれを抑制することができる。
【００２７】
また、ドラムリフレッシュ動作の他の例として、感光体ドラム１４と転写ローラ１８との間に用紙を介在させた状態で用紙を徐々に搬送しながら感光体ドラム１４を回転させることで、トナーを用紙に擦りつけてドラム表面を摺擦する方法が挙げられる。このようなドラムリフレッシュ動作は、印字終了後や連続印字時の紙間において実行される他、現像剤リフレッシュ動作により感光体ドラム１４上に吐出されたトナーを除去する場合に実行される。
【００２８】
転写リフレッシュ動作は、転写ローラ１８にトナーと同極性のバイアスを印加することにより、画像形成時或いは現像剤リフレッシュ動作時に転写ローラ１８に付着したトナーを感光体ドラム１４側に移動させるものである。また、本明細書でいう転写リフレッシュ動作には、中間転写ベルト等の中間転写体上に各色のトナー像を順次転写（一次転写）した後、記録媒体上に一度に転写（二次転写）する中間転写式のカラー画像形成装置において、クリーニング装置により中間転写体に付着したトナーを除去する動作も含まれるものとする。
【００２９】
図２は、トナーコンテナを下方から見た外観斜視図である。ケーシング（筐体）３０はトナーを貯留する容器であり、底面には現像装置１６（図１参照）にトナーを供給するためのトナー供給口３１が設けられている。ケーシング３０内にはトナーを撹拌するとともにトナー供給口３１にトナーを搬送する２本の撹拌搬送部材３３、３５が設けられている。なお、図２ではケーシング３０の外側面に突出する撹拌搬送部材３３、３５の回転軸端部のみを図示している。
【００３０】
撹拌搬送部材３３には、駆動源（図示せず）からの駆動力を伝達する駆動カップリング３６及びギヤ３７が設けられている。ギヤ３７はアイドルギヤ３８を介して撹拌搬送部材３５の駆動入力ギヤ３９と連結されている。また、ケーシング３０の側面にはＲＦＩＤメモリ４０が貼付されている。画像形成装置１００の本体側に設けられたコンテナ装着部（図示せず）にトナーコンテナ２０を挿入後、ＲＦＩＤメモリ４０は画像形成装置１００の本体側に設けられたＲＦＩＤ制御回路５０（図４参照）と無線で交信を行う。
【００３１】
図３は、ＲＦＩＤメモリ４０に記憶されるデータの一例を示すものである。この図に示されているように、データに含まれる項目として、トナーコンテナ２０の識別番号、装着可能な画像形成装置の型式、仕向コード、トナー充填量、累積画像形成回数、累積画像ドット数、トナー残量、その他の項目、及び、以上のデータ項目のデータが正常に書き込まれているか否かの判定に使用されるチェックサムまたはＣＲＣ（Cyclic Redundancy Check、巡回冗長検査）である。なお、このデータ中でその内容が変動しないデータ項目は識別番号、装置形式、仕向コード、トナー充填量であり、以後、総称して固定データと呼称する。また、その他のデータ項目は画像形成ジョブごとにその内容が変わるものであり、総称して変動データと呼称する。
【００３２】
ここで、仕向コードとは、トナーコンテナ２０の出荷地域を特定するためのコードのことであり、例えば、世界の地域（ヨーロッパ、中近東、北米、アジアなど）を表す地域コードや国コードなどを意味している。
【００３３】
図４は、本発明の画像形成装置の制御経路を説明するためのブロック図である。図２で示したトナーコンテナ２０に搭載されたＲＦＩＤメモリ４０に対し、図３を参照して説明したデータの読み取り又は書き込みを行う場合の回路について説明する。なお、画像形成装置１００を使用する上で装置各部の様々な制御がなされるため、画像形成装置１００全体の制御経路は複雑なものとなる。そこで、図４ではＲＦＩＤメモリ４０に対する読み取り又は書き込みに関与しない回路は記載を省略している。
【００３４】
画像形成装置１００全体の制御を行うＣＰＵ（Central Processing Unit）４１が接続された内部バス４３に、トナーコンテナ２０の有無を検知するトナーコンテナ検知センサ４５が接続されている。ＣＰＵ４１は、このトナーコンテナ検知センサ４５からの検知信号を受け、その信号に基づき後述する制御を行う。
【００３５】
主記憶部４７は、画像形成装置１００の各部を制御するための制御プログラムや制御データを記憶する記憶部であり、制御データとしては、装置の型式、及び装置に複数の出荷地域がある場合は出荷地域別の使用温度条件、出荷地域別の標準用紙の紙厚、表示部４９の表示に使用する言語等が格納されている。また、ＲＦＩＤメモリ４０に記憶された仕様情報が認識不可能である場合に現像装置１６内のＴ／Ｃを設定するためのＴ／Ｃ設定テーブル、リフレッシュ動作の回数（継続時間）を設定するリフレッシュ回数（継続時間）設定テーブル等が備えられている。
【００３６】
表示部４９は、画像形成装置１００各部の状態や画像形成状況、印刷部数を表示するとともに、タッチパネルとして両面印刷や白黒反転等の機能や倍率設定、濃度設定等の各種設定を行えるようになっている。
【００３７】
ＲＦＩＤメモリ制御回路５０は、アンテナ５１及び５３を介してＲＦＩＤメモリ４０内に記憶された固定データを読み取り、主記憶部４７内に記憶された制御データと比較してトナーコンテナ２０を判別する。この判別結果はＣＰＵ４１に送信され、ＣＰＵ４１は判別結果に応じた制御信号を装置各部に送信する。
【００３８】
さらにＲＦＩＤメモリ制御回路５０は、ＲＦＩＤメモリ４０の変動データ領域と少なくとも同じ容量を持つバッファメモリ５０ａを備えている。そして、ＣＰＵ４１からのコマンドによって主記憶部４７に格納されている各項目の変動データがＲＦＩＤメモリ制御回路５０に送信され、ＲＦＩＤメモリ４０が記憶するのと同じ順番とデータ形式でバッファメモリ５０ａに一旦格納される。その後、アンテナ５１及び５３を介してＲＦＩＤメモリ４０に変動データとその書き込み開始アドレスを転送する。ＲＦＩＤメモリ４０は、この変動データと書き込み開始番地を受けて、その指定されたアドレスから変動データを書き込む。
【００３９】
このようにＲＦＩＤメモリ４０を使用することで、ＲＦＩＤ制御回路５０が使用する周波数にＲＦＩＤメモリ４０の同調回路が同調して、データの書き込みや読み出しに必要な電力がアンテナ５１、５３を介してＲＦＩＤ制御回路５０からＲＦＩＤメモリ４０に供給されるため、両者を接続するコネクタや配線が不要になるというメリットがある。
【００４０】
図５は、本発明の画像形成装置における動作制御例を示すフローチャートである。図１〜図４を参照しながら、図５のステップに従いトナーコンテナの認識及びそれに伴う動作制御について説明する。まず、トナーコンテナ２０が装置本体に挿入され、トナーコンテナ検知センサ４５がトナーコンテナ２０の装着を検出すると（ステップＳ１）、ＲＦＩＤメモリ４０に格納されているデータ（図３参照）がアンテナ５１、５３、及びＲＦＩＤ制御回路５０を介してＣＰＵ４１により読み取られる（ステップＳ２）。
【００４１】
次に、ＣＰＵ４１はＲＦＩＤメモリ４０内のデータが認識可能であるか否かを判断する（ステップＳ３）。なお、ここでいう認識可能である場合とは、ＲＦＩＤメモリ４０に記憶された固定データ中の装着可能な装置の型式や仕向コード（図３参照）と、主記憶部４７に記憶された装置の型式や仕向コードとが一致する場合を指しており、それ以外の場合（ＲＦＩＤメモリ４０が未装着である場合、ＲＦＩＤメモリ４０内のデータが読み取り不能である場合、或いは読み取り可能であるが装置の型式や仕向コードが一致しない場合等）は全て認識不可能と判断するものとする。認識可能である場合はそのまま現像装置１６へトナーの補給が行われる（ステップＳ４）。
【００４２】
一方、ステップＳ３で認識不可能である場合は、主記憶部４７内のＴ／Ｃ設定テーブルを用いて現像装置１６内のＴ／Ｃを基準値よりも小さく設定するとともに（ステップＳ５）、リフレッシュ回数設定テーブルを用いて現像剤リフレッシュ動作、ドラムリフレッシュ動作、転写リフレッシュ動作の回数を通常よりも多く設定する（ステップＳ６）。その後、トナーコンテナ２０から現像装置１６へトナーの補給が行われ（ステップＳ４）、トナー濃度センサの検知結果がステップＳ５で設定されたＴ／Ｃとなった時点でトナーの補給を停止する。また、ステップＳ６で設定された回数の各リフレッシュ動作を所定のタイミングで実行する。
【００４３】
この制御によれば、ＲＦＩＤメモリ４０内のデータが認識不可能なトナーコンテナ２０が装着された場合、トナーコンテナ２０の使用を許可するとともに、各リフレッシュ動作の継続時間が基準実行時間よりも延長されるため、トナー特性の違いによる現像ローラ１６ａ上のトナー劣化、感光体ドラム１４のクリーニング不良、或いは転写ローラ１８へのトナー付着、及びそれらに伴う画質低下を効果的に防止することができる。なお、図５の制御ではＲＦＩＤメモリ４０内のデータが認識不可能な場合に各リフレッシュ動作の回数を増加してリフレッシュ動作の継続時間を延長しているが、各リフレッシュ動作１回当たりの実行時間を延長する制御としても良い。
【００４４】
また、現像装置１６内のＴ／Ｃを基準値よりも小さく設定してトナー補給量を制限することにより、トナーの特性差によるトナー飛散を防止することができる。このとき、Ｔ／Ｃを文字程度の画像出力が可能な割合に設定しておけば、写真画像のような高解像度の画像の画質は低下するものの、トナーによる汚染や画像形成装置の破損が生じない範囲で文字画像の出力が可能となる。
【００４５】
従って、ＲＦＩＤメモリ４０内の仕様情報が異なる、或いは旧仕様等でＲＦＩＤメモリ４０が取り付けられていない等の正規品でないトナーコンテナ２０や、正規品であっても故意又は過失、不可抗力等によりＲＦＩＤメモリ４０内のデータが消失して仕様情報が不明となったトナーコンテナ２０を有効に使用でき、且つ装置内部の汚染や破損等も生じない利便性の高い画像形成装置となる。
【００４６】
その他本発明は、上記実施形態に限定されず、本発明の趣旨を逸脱しない範囲で種々の変更が可能である。例えば上記実施形態においては、ＲＦＩＤメモリ４０内のデータが認識不可能な場合に現像剤リフレッシュ、ドラムリフレッシュ、及び転写リフレッシュの各動作の継続時間を延長しているが、各リフレッシュ動作のうち少なくとも１つの継続時間を延長する制御としても良い。
【００４７】
また、上記実施形態ではトナーコンテナ２０を特定する情報をＲＦＩＤメモリ４０に記憶しているが、接触型メモリ等のＲＦＩＤメモリ以外の記憶手段を用いることもできる。なお、内容が変動しない固定データのみを記憶する場合は書き換え不可能なメモリを用いても良い。
【００４８】
また、本発明は図１に示したようなモノクロプリンタに限られるものではなく、タンデム式或いはロータリー方式のカラー複写機及びプリンタ、モノクロ複写機、デジタル複合機、ファクシミリ等の、着脱式のトナーコンテナを用いる種々の画像形成装置に適用できるのはもちろんである。
【００４９】
また、上記実施形態では二成分現像方式の現像装置を用いた画像形成装置について説明したが、一成分現像方式の現像装置を用いた画像形成装置にも適用可能である。この場合、現像装置内にはトナーのみから成る一成分現像剤が貯留されるため、Ｔ／Ｃの設定変更によりトナー飛散を防止することはできない。従って、一成分現像方式ではリフレッシュ動作の継続時間の延長のみを行えば良い。
【産業上の利用可能性】
【００５０】
本発明は、仕様情報を記憶したＲＦＩＤ等の記憶手段が取り付けられたトナーコンテナが着脱可能に装着される画像形成装置に利用可能であり、記憶手段に記憶された情報が認識不可能な場合は、画像出力を許可するとともに、現像剤リフレッシュ動作、像担持体リフレッシュ動作、転写リフレッシュ動作のうち少なくとも１つの継続時間を基準実行時間よりも延長するものである。
【００５１】
これにより、旧仕様等で記憶手段が取り付けられていないトナーコンテナや、故意又は過失、不可抗力等により記憶手段内のデータが消失して仕様情報が不明となったトナーコンテナ等を有効に使用でき、トナーコンテナ内のトナーの仕様が正規品と異なる場合であっても、トナー特性の違いによるトナー担持体上のトナー劣化や像担持体のクリーニング不良、転写手段のトナー汚染、それらに伴う画質低下を効果的に抑制できる画像形成装置となる。
【００５２】
また、二成分現像方式の現像装置を用いる場合、現像装置内のキャリアに対するトナーの割合を基準値よりも小さく設定すれば、トナーによる汚染や画像形成装置の破損が生じない範囲で文字程度の画像出力が可能な画像形成装置となる。
【図面の簡単な説明】
【００５３】
【図１】は、本発明の画像形成装置の構成を示す概略断面図である。
【図２】は、トナーコンテナを下方から見た外観斜視図である。
【図３】は、トナーコンテナのＲＦＩＤメモリに記憶されるデータの一例を示す図である。
【図４】は、本発明の画像形成装置の制御経路を説明するためのブロック図である。
【図５】は、本発明の画像形成装置におけるトナーコンテナの認識及びそれに伴う動作制御例を示すフローチャートである。
【符号の説明】
【００５４】
１４            感光体ドラム（像担持体）
１６            現像装置
１６ａ          現像ローラ（トナー担持体）
１７            クリーニング装置
１７ａ          クリーニングローラ
１７ｂ          クリーニングブレード
１８            転写ローラ（転写手段）
２０            トナーコンテナ
４０            ＲＦＩＤメモリ（記憶手段）
４１            ＣＰＵ（制御手段）
４３            内部バス
４５            トナーコンテナ検知センサ
４７            主記憶部
４９            表示部
５０            ＲＦＩＤ制御回路（読取手段）
５０ａ          バッファメモリ
５１、５３      アンテナ（読取手段）
１００          画像形成装置
【図１】
2010032947.tif 000003
【図２】
2010032947.tif 000004
【図３】
2010032947.tif 000005
【図４】
2010032947.tif 000006
【図５】
2010032947.tif 000007